(57)【要約】  パワー制御方法、マクロ基地局及び睡眠セルの基地局を提供する。該方法は、マクロ基地局が測量報告に基いて、アクティブにする必要がある睡眠セルを確定し；アクティブにする必要がある睡眠セルの基地局に、アクティブリクエストを送信し、前記アクティブリクエストは、アクティブにする必要がある睡眠セルの標識、及び、アクティブにした後に採用するパワーの、最大パワーレベルに対しての減少値を含み、睡眠セルが起動した後に睡眠セルの基地局は、最大パワーレベルから前記減少値を引いた後のパワーで信号を送信する。該方法により、睡眠セルの基地局が最大パワーで信号を送信することを要しないので、エネルギー効率を向上させることができ、且つ、複数回のサウンディングプロセスを要しないので、シグナリングオーバーヘッドを減少させ、マクロセルにおける端末のサービング品質の低下を下げ、従来技術に存在する問題を解決することができる。
2014522201.tif 000002
【特許請求の範囲】
【請求項１】
パワー制御方法であって
マクロ基地局は、睡眠セルの基地局に、サウンディング時間を含むサウンディングリクエストメッセージを送信し、前記睡眠セルは、前記サウンディング時間内において最大パワーで信号を送信し；
マクロセルの端末装置が返した睡眠セル信号の測量報告を受信し；
前記測量報告に基いて、アクティブにする必要がある睡眠セルを確定し；及び
アクティブにする必要がある睡眠セルの基地局に、アクティブリクエストを送信し、前記アクティブリクエストは、アクティブにする必要がある睡眠セルの標識、及び、アクティブにした後に採用するパワーの、最大パワーレベルに対しての減少値を含み、睡眠セルが起動した後に睡眠セルの基地局は、最大パワーレベルから前記減少値を引いた後のパワーで信号を送信する、ことを含む、方法。
【請求項２】
請求項1に記載の方法であって、
アクティブにする必要がある睡眠セルを確定した後に、前記方法は、さらに、
前記マクロ基地局は、前記測量結果と、睡眠セルに移行したいロード又は所定の端末装置の数とに基いて、前記減少値を確定することを含む、方法。
【請求項３】
請求項2に記載の方法であって、
前記マクロ基地局が前記測量結果及び睡眠セルに移行したいロードに基いて前記減少値を確定することは、
前記マクロ基地局は、前記マクロセルの端末装置が返した測量結果を降順でソートし；
睡眠セルに移行したいロードに基いて、測量結果の大から小への順で、前記測量結果に対応する、睡眠セルに切り換える必要があるマクロ基地局の端末装置を選択し；及び
前記マクロ基地局は、前記減少値が、選択したマクロセルの端末装置が返した測量結果の最小値と、全てのマクロセルの端末装置が返した測量結果の最小値との差であると確定し、又は、前記減少値が、確定した、睡眠セルに切り換える必要があるマクロセルの端末装置が返した信号強度最小値と、端末装置の正常な通信に必要な最小信号強度値との差であると確定し、又は、前記減少値が、選択したマクロセルの端末装置が返した測量結果の最小値と、所定のマクロセルの端末装置が測量報告を送信するときの閾値との差であると確定する、ことを含む、方法。
【請求項４】
請求項2に記載の方法であって、
前記マクロ基地局が前記測量結果及び所定の端末装置の数に基いて前記減少値を確定することは、
前記マクロ基地局は、前記マクロセルの端末装置が返した測量結果を降順でソートし；
所定の端末装置の数に基いて、測量結果の大から小への順で、前記測量結果に対応する、睡眠セルに切り換える必要があるマクロ基地局の端末装置を選択し；及び
前記マクロ基地局は、前記減少値が、選択したマクロセルの端末装置が返した測量結果の最小値と、全てのマクロセルの端末装置が返した測量結果の最小値との差であると確定し、又は、前記減少値が、確定した、睡眠セルに切り換える必要があるマクロセルの端末装置が返した信号強度最小値と、端末装置の正常な通信に必要な最小信号強度値との差であると確定し、又は、前記減少値が、選択したマクロセルの端末装置が返した測量結果の最小値と、所定のマクロセルの端末装置が測量報告を送信するときの閾値との差であると確定する、ことを含む、方法。
【請求項５】
パワー制御方法であって、
睡眠セルの基地局は、マクロ基地局の送信したサウンディング時間を含むサウンディン
グリクエストメッセージを受信し、前記サウンディング時間内において最大パワーで信号を送信し；
前記マクロ基地局の送信した、アクティブにする必要がある睡眠セルの標識、及び、アクティブにした後に採用するパワーの、最大パワーレベルに対しての減少値を含むアクティブリクエストを受信し；及び
前記睡眠セルの基地局は、前記アクティブリクエストに基いて、睡眠セルを起動し、最大パワーレベルから前記減少値を引いた後のパワーで信号を送信する、ことを含む、方法。
【請求項６】
マクロ基地局であって、
睡眠セルの基地局に、サウンディング時間を含むサウンディングリクエストメッセージを送信し、前記睡眠セルが前記サウンディング時間内において最大パワーで信号を送信するようにさせる第一送信器；
マクロセルの端末装置が返した睡眠セル信号の測量報告を受信する第一受信器；
前記測量報告に基いて、アクティブにする必要がある睡眠セルを確定する第一確定ユニット；及び
前記アクティブにする必要がある睡眠セルに、アクティブリクエストを送信する第二送信器を含み、
前記アクティブリクエストは、アクティブにした後に採用するパワーの、最大パワーレベルに対しての減少値を含む、マクロ基地局。
【請求項７】
請求項6に記載のマクロ基地局であって、さらに、
前記測量結果と、睡眠セルに移行したいロード又は所定の端末装置の数とに基いて、前記減少値を確定する第二確定ユニットを含む、マクロ基地局。
【請求項８】
請求項7に記載のマクロ基地局であって、
前記第二確定ユニットは、
前記マクロセルの端末装置が返した測量結果を降順でソートする第一ソートユニット；
睡眠セルに移行したいロードに基いて、測量結果の大から小への順で、前記測量結果に対応する、睡眠セルに切り換える必要があるマクロ基地局の端末装置を選択する第一選択器；及び
前記減少値が、前記第一選択器が選択したマクロセルの端末装置が返した測量結果の最小値と、全てのマクロセルの端末装置が返した測量結果の最小値との差であると確定し、又は、前記減少値が、前記第一選択器が選択した、睡眠セルに切り換える必要があるマクロセルの端末装置が返した信号強度最小値と、端末装置の正常な通信に必要な最小信号強度値との差であると確定し、又は、前記減少値が、前記第一選択器が選択したマクロセルの端末装置が返した測量結果の最小値と、所定のマクロセルの端末装置が測量報告を送信するときの閾値との差であると確定する第三確定ユニットを含む、マクロ基地局。
【請求項９】
請求項7に記載のマクロ基地局であって、
前記第二確定ユニットは、
前記マクロセルの端末装置が返した測量結果を降順でソートする第二ソートユニット；
所定の端末装置の数に基いて、測量結果の大から小への順で、前記測量結果に対応する、睡眠セルに切り換える必要があるマクロ基地局の端末装置を選択する第二選択器；及び
前記減少値が、前記第二選択器が選択したマクロセルの端末装置が返した測量結果の最小値と、全てのマクロセルの端末装置が返した測量結果の最小値との差であると確定し、又は、前記減少値が、前記第二選択器が選択した、睡眠セルに切り換える必要があるマクロセルの端末装置が返した信号強度最小値と、端末装置の正常な通信に必要な最小信号強度値との差であると確定し、又は、前記減少値が、前記第二選択器が選択したマクロセルの端末装置が返した測量結果の最小値と、所定のマクロセルの端末装置が測量報告を送信するときの閾値との差であると確定する第四確定ユニットを含む、マクロ基地局。
【請求項１０】
睡眠セルの基地局であって、
マクロ基地局の送信した、サウンディング時間を含むサウンディングリクエストメッセージを受信し、前記サウンディング時間内において最大パワーで信号を送信するようにさせる第一サウンディングリクエスト受信器；
前記マクロ基地局の送信した、アクティブにする必要がある睡眠セルの標識、及び、アクティブにした後に採用するパワーの、最大パワーレベルに対しての減少値を含むのアクティブリクエストを受信する第一アクティブリクエスト受信器；
前記アクティブリクエストに基いて、睡眠セルを起動する第一起動器；及び、
最大パワーレベルから前記減少値を引いた後のパワーで信号を送信する第一信号送信器を含む、基地局。
【請求項１１】
パワー制御方法であって
マクロ基地局は、睡眠セルの基地局に、サウンディング時間を含むサウンディングリクエストメッセージを送信し、前記睡眠セルは、前記サウンディング時間内において最大パワーで信号を送信し；
マクロセルの端末装置が返した前記睡眠セル信号の測量報告を受信し；
前記測量報告に基いて、アクティブにする必要がある睡眠セルを確定し；
前記アクティブにする必要がある睡眠セルに、アクティブリクエストを送信し、前記アクティブリクエストは、アクティブにする必要がある睡眠セルの標識、及び、パワー制御に関する情報を含み、前記パワー制御に関する情報は、初期パワーレベルと、パワー逓増レベルと、パワー保持時間又は所定の第一時間とを含み、睡眠セルが起動した後に睡眠セルの基地局は、前記パワー制御に関する情報に従って次第にパワーを上げて信号を送信する、ことを含む、方法。
【請求項１２】
請求項11に記載の方法であって、
前記測量報告に基いて、アクティブにする必要がある睡眠セルを確定した後に、前記方法は、さらに、
前記マクロ基地局は、睡眠セルの基地局が毎回パワーレベルを増加させた後に、睡眠セルに移行したいロード又は端末装置の数に基いて、前記パワー逓増レベルを設定することを含む、方法。
【請求項１３】
請求項11に記載の方法であって、
前記測量報告に基いて、アクティブにする必要がある睡眠セルを確定した後に、前記方法は、さらに、前記パワー保持時間を確定することを含み、
前記パワー保持時間を確定することは、
各端末装置が睡眠セルに切り換えるために必要な時間と、予め推定した毎回パワー増加時に切り換える端末装置の数の最大値との乗算で、前記パワー保持時間を確定し、
又は、
前記マクロ基地局が端末装置を睡眠セルに切り換える履歴情報に基いて、一定のロードを移行する又は一定数の端末装置を切り換えるために必要な平均時間、又は、一定のロードを移行する又は一定数の端末装置を切り換えるために必要な最大時間を得て、得た前記時間を前記パワー保持時間とすることを含む、方法。
【請求項１４】
請求項11に記載の方法であって、
前記測量報告に基いて、アクティブにする必要がある睡眠セルを確定した後に、前記方法は、さらに、前記第一時間を確定することを含み、
前記第一時間を確定することは、
前記マクロ基地局が端末装置を睡眠セルに切り換える履歴情報に基いて、連続した二つの端末装置が睡眠セルに切り換えるときの間隔の時間情報を得て、得た時間情報に対して平均を行い、平均後に得た値を前記第一時間とし、
又は、
連続した二つの端末装置が睡眠セルに切り換えるときの間隔の時間の最大値を前記第一時間とし、
又は、
端末装置の移動速度に基いて、前記第一時間を確定することを含む、方法。
【請求項１５】
請求項11に記載の方法であって、
前記アクティブリクエスト中のパワー制御に関する情報は、さらに、マクロ基地局のロード閾値を含む、方法。
【請求項１６】
パワー制御方法であって、
睡眠セルの基地局は、マクロ基地局の送信した、サウンディング時間を含むサウンディングリクエストメッセージを受信し、前記サウンディング時間内において最大パワーで信号を送信し；
前記マクロ基地局の送信した、アクティブにする必要がある睡眠セルの標識、及び、パワー制御に関する情報を含むアクティブリクエストを受信し、前記パワー制御に関する情報は、初期パワーレベルと、パワー逓増レベルと、パワー保持時間又は所定の第一時間とを含み；及び
前記睡眠セルの基地局は、前記アクティブリクエストに基いて、睡眠セルを起動し、アクティブリクエスト中のパワー制御に関する情報に従って次第にパワーを上げて信号を送信することを含む、方法。
【請求項１７】
請求項16に記載の方法であって、
前記アクティブリクエストは、さらに、マクロ基地局のロード閾値を含む、方法。
【請求項１８】
請求項16に記載の方法であって、
前記睡眠セルの基地局がアクティブリクエスト中のパワー制御に関する情報に基いて次第にパワーを上げて信号を送信することは、
前記睡眠セルの基地局は、現在のパワーレベルで信号を送信する時間が前記パワー保持時間に到達しているかどうかを判断し、又は、現在のパワーレベルで信号を送信する時に前記第一時間内において睡眠セルに切り換えるマクロ基地局の端末装置がないかどうかを判断し；及び
判断結果が「はい」であれば、前記睡眠セルの基地局は、現在のパワーレベルをパワー逓増レベル分増加させ、増加後のパワーで信号を送信することを含む、方法。
【請求項１９】
請求項17に記載の方法であって、
前記睡眠セルの基地局がアクティブリクエスト中のパワー制御に関する情報に基いて次第にパワーを上げて信号を送信することは、
前記睡眠セルの基地局は、現在のパワーレベルで信号を送信する時間が前記パワー保持時間に到達しているかそうかを判断し、又は、現在のパワーレベルで信号を送信する時に前記第一時間内において睡眠セルに切り換えるマクロ基地局の端末装置がないかどうかを判断し；
判断結果が「はい」であれば、前記睡眠セルの基地局は、現在のマクロ基地局のロードがマクロ基地局のロード閾値よりも大きいかどかを判断し；
判断結果が、マクロ基地局のロード閾値よりも大きいとのことであれば、前記睡眠セルの基地局は、現在のパワーレベルをパワー逓増レベル分増加させ、増加後のパワーを取得し；及び
前記睡眠セルの基地局は、前記増加後のパワーで信号を送信することを含む、方法。
【請求項２０】
マクロ基地局であって
睡眠セルの基地局に、サウンディング時間を含むサウンディングリクエストメッセージを送信し、前記睡眠セルが前記サウンディング時間内において最大パワーで信号を送信するようにさせる第三送信器；
マクロセルの端末装置が返した前記睡眠セル信号の測量報告を受信する第二受信器；
前記測量報告に基いて、アクティブにする必要がある睡眠セルを確定する第五確定ユニット；及び
前記アクティブにする必要がある睡眠セルに、アクティブリクエストを送信する第四送信器を含み、
前記アクティブリクエストは、アクティブにする必要がある睡眠セルの標識、及び、パワー制御に関する情報を含み、前記パワー制御に関する情報は、初期パワーレベルと、パワー逓増レベルと、パワー保持時間又は所定の第一時間とを含み、睡眠セルが起動した後に睡眠セルの基地局は、前記パワー制御に関する情報に従って次第にパワーを上げて信号を送信することを含む、マクロ基地局。
【請求項２１】
請求項20に記載のマクロ基地局であって、さらに、
睡眠セルの基地局が毎回パワーレベルを増加させた後に、睡眠セルに移行したいロード又は端末装置の数に基いて前記パワー逓増レベルを設定する逓増レベル設定ユニットを含む、マクロ基地局。
【請求項２２】
請求項20に記載のマクロ基地局であって、さらに、
前記パワー保持時間を確定するパワー保持時間確定ユニットを含み、
前記パワー保持時間確定ユニットは、具体的に、
各端末装置が睡眠セルに切り換えるために必要な時間と、予め推定した毎回パワー増加時に切り換える端末装置の数の最大値との乗算で、前記パワー保持時間を確定し、
又は、
前記マクロ基地局が端末装置を睡眠セルに切り換える履歴情報に基いて、一定のロードを移行する又は一定数の端末装置を切り換えるために必要な平均時間、又は、前記マクロ基地局が端末装置を睡眠セルに切り換える履歴情報に基いて、一定のロードを移行する又は一定数の端末装置を切り換えるために必要な最大時間を得て、得た前記時間を前記パワー保持時間とするために用いられる、マクロ基地局。
【請求項２３】
請求項20に記載のマクロ基地局であって、さらに、
前記第一時間を確定する第一時間確定ユニットを含み、
前記第一時間確定ユニットは、具体的に、
前記マクロ基地局が端末装置を睡眠セルに切り換える履歴情報に基いて、連続した二つの端末装置が睡眠セルに切り換えるときの間隔の時間情報を得て、得た時間情報に対して平均を行い、平均後に得た値を前記第一時間とし、
又は、
連続した二つの端末装置が睡眠セルに切り換えるときの間隔の最大時間を前記第一時間とし、
又は、
端末装置の移動速度に基いて、前記第一時間を確定するために用いられる、マクロ基地局。
【請求項２４】
請求項20に記載のマクロ基地局であって、
前記アクティブリクエスト中のパワー制御に関する情報は、さらに、マクロ基地局のロード閾値を含む、マクロ基地局。
【請求項２５】
睡眠セルの基地局であって、
マクロ基地局の送信したサウンディング時間を含むサウンディングリクエストメッセージを受信し、前記サウンディング時間内において最大パワーで信号を送信するようにさせる第二サウンディングリクエスト受信器；
前記マクロ基地局の送信した、アクティブにする必要がある睡眠セルの標識、及び、パワー制御に関する情報を含むアクティブリクエストを受信し、前記パワー制御に関する情報は、初期パワーレベルと、パワー逓増レベルと、パワー保持時間又は所定の第一時間とを含む、第二アクティブリクエスト受信器；
前記アクティブリクエストに基いて、睡眠セルを起動する第二起動器；及び
前記アクティブリクエスト中のパワー制御に関する情報に基いて次第にパワーを上げて信号を送信する第二信号送信器を含む、睡眠セルの基地局。
【請求項２６】
請求項25に記載の睡眠セルの基地局であって、
前記アクティブリクエストは、さらに、マクロ基地局のロード閾値を含む、睡眠セルの基地局。
【請求項２７】
請求項25に記載の睡眠セルの基地局であって、
前記第二信号送信器は、
現在のパワーレベルで信号を送信する時間が前記パワー保持時間に到達しているかどうかを判断し、又は、現在のパワーレベルで信号を送信する時に前記第一時間内において睡眠セルに切り換えるマクロ基地局の端末装置がないかどうかを判断する、第一判断ユニット；
前記第一判断ユニットの判断結果が「はい」である時に、現在のパワーレベルをパワー逓増レベル分を増加させる第一パワー増加ユニット；及び
増加後のパワーで信号を送信する第五送信器を含む、睡眠セルの基地局。
【請求項２８】
請求項26に記載の睡眠セルの基地局であって、
前記第二信号送信器は、
現在のパワーレベルで信号を送信する時間が前記パワー保持時間に到達しているかどうかを判断し、又は、現在のパワーレベルで信号を送信する時に前記第一時間内において睡眠セルに切り換えるマクロ基地局の端末装置がないかどうかを判断する第二判断ユニット；
前記第二判断ユニットの判断結果が「はい」である時に、マクロ基地局の現在のロードがマクロ基地局のロード閾値よりも大きいかどうかを判断する第三判断ユニット；
前記第三判断ユニットの判断結果が「はい」である時に、現在のパワーレベルをパワー逓増レベル分を増加させ、増加後のパワーを得る第二パワー増加ユニット；及び
前記増加後のパワーで信号を送信する第六送信器を含む、睡眠セルの基地局。
【請求項２９】
コンピュータ可読プログラムであって、
マクロ基地局において前記プログラムを実行する時に、前記プログラムは、コンピュータに、前記マクロ基地局において、請求項1〜4の任意の１項に記載のパワー制御方法を実行させ、
又は、
睡眠セルの基地局において前記プログラムを実行する時に、前記プログラムは、コンピュータに、前記睡眠セルの基地局において請求項5に記載のパワー制御方法を実行させるためのプログラム
【請求項３０】
コンピュータ可読プログラムを記憶した記憶媒体であって、
前記コンピュータ可読プログラムは、コンピュータに、マクロ基地局において請求項1〜4の任意の１項に記載のパワー制御方法を実行させ、
又は、
前記コンピュータ可読プログラムは、コンピュータに、睡眠セルの基地局において請求項5に記載のパワー制御方法を実行させるための記憶媒体。
【請求項３１】
コンピュータ可読プログラムであって、
マクロ基地局において前記プログラムを実行する時に、前記プログラムは、コンピュータに、前記マクロ基地局において請求項11〜15の任意の１項に記載のパワー制御方法を実行させ、
又は、
前記プログラムは、コンピュータに、前記睡眠セルの基地局において請求項16〜19の任意の１項に記載のパワー制御方法を実行させるためのプログラム。
【請求項３２】
コンピュータ可読プログラムを記憶した記憶媒体であって、
前記コンピュータ可読プログラムは、コンピュータに、前記マクロ基地局において請求項11〜15の任意の１項に記載のパワー制御方法を実行させ、
又は、
前記コンピュータ可読プログラムは、コンピュータに、前記睡眠セルの基地局において請求項16〜19の任意の１項に記載のパワー制御方法を実行させるための記憶媒体。
【発明の詳細な説明】
【技術分野】
【０００１】
本発明は、通信分野に関し、特に、パワー制御方法、基地局及び端末装置に関する。
【背景技術】
【０００２】
LTE-A（LTE-A、Long  Term  Evolution  Advanced)ネットワークの省エネの議題では、ネットワークのセルは、マクロセル及び容量増加セルに分けることができ、そのうち、マクロセルは、基本のネットワークのカバリッジを提供し、容量増加セルは、ネットワークのロードが重い時に起動して一部のマクロセルのロードを分担し、ネットワークのロードが軽い時に睡眠状態に進入してエネルギー消耗を減少させることができる。以下の内容では、睡眠状態に進入している容量増加セルを睡眠セルと称する。
【０００３】
起動すべき睡眠セルを選択する時に、今のところ、採用し得る一つの方法としては、マクロセルの基地局（マクロ基地局）は、睡眠セルが所定期間に作動するようにリクエストし、また、そのサービングする端末装置が睡眠セルの信号を測量するように構成し、最後に、マクロ基地局は、該端末装置がフィードバックした測量結果に基いて、適切な睡眠セルを選択し、また、これらの睡眠セルに通知を送信する。このように、通知を受信した睡眠セルは、最大パワーの方式で起動し、また、切り換える端末装置を受けることができる。
【０００４】
また、エネルギー効率をさらに向上させるために、マクロ基地局は、多段階のサウンディングにより、睡眠セルの起動時に採用するパワーレベルを取得することができる。各段階の睡眠セルは、一つの指定のパワーレベルでデータを送信し、その後、マクロ基地局は、さらに、毎回サウンディングプロセスにおいて得た端末のフィードバック結果に基いて、アクティブにする必要がある睡眠セル及びそれらが採用すべきパワーレベルを選択するこいとができる。
【０００５】
しかし、本発明の実現プロセスにおいて、従来方法の次のような欠陥を発見した。即ち、複数回のサウンディングプロセスを行う必要があり、これによって、シグナリングオーバーヘッドを増加させ、且つ、サウンディングのかかる時間がマクロセルにおける端末のサービング品質の低下を来すことがある。
【０００６】
なお、上述の技術背景の紹介は、本発明の技術案を明確且つ完全に説明し、当業者がそれらを容易に理解するだけのものである。これらの案が本発明の背景技術に記載されているため、上述の技術案は当業者にとって公知であると思われてはいけない。
【発明の概要】
【発明が解決しようとする課題】
【０００７】
本発明の実施例の目的は、パワー制御方法、基地局及び端末装置を提供することにあり、該方法により、複数回のサウンディングプロセスを要せず、シグナリングオーバーヘッドを減少させ、マクロセルにおける端末のサービング品質の低下を避け、従来技術に存在する問題を解決することができる。
【課題を解決するための手段】
【０００８】
本発明の実施例の一側面によれは、パワー制御方法が提供され、該方法は、
マクロ基地局が、睡眠セルの基地局に、サウンディング時間を含むサウンディングリクエストメッセージを送信し、これによって、該睡眠セルが、該サウンディング時間内において最大パワーで信号を送信し；
マクロセルの端末装置が返した睡眠セル信号の測量報告を受信し；
該測量報告に基いて、アクティブにする必要がある睡眠セルを確定し；及び、
アクティブにする必要がある睡眠セルの基地局にアクティブリクエストを送信し、該アクティブリクエストは、アクティブにする必要がある睡眠セルの標識、及び、アクティブにした後に採用するパワーの、最大パワーレベルに対しての減少値を含み、これによって、睡眠セルが起動した後に、睡眠セルの基地局が、最大パワーレベルから該減少値を引いた後のパワーで信号を送信する、ことを含む。
【０００９】
本発明の実施例の他の側面によれば、パワー制御方法が提供され、該方法は、
睡眠セルの基地局が、マクロ基地局の送信した、サウンディング時間を含むサウンディングリクエストメッセージを受信し、また、該サウンディング時間内において最大パワーで信号を送信し；
該マクロ基地局の送信した、アクティブにする必要がある睡眠セルの標識、及び、アクティブにした後に採用するパワーの、最大パワーレベルに対しての減少値を含むアクティブリクエストを受信し；及び、
該睡眠セルの基地局が、該アクティブリクエストに基いて睡眠セルを起動させ、また、最大パワーレベルから該減少値を引いた後のパワーで信号を送信することを含む。
【００１０】
本発明の実施例の他の側面によれば、マクロ基地局が提供され、該基地局は、
睡眠セルの基地局に、サウンディング時間を含むサウンディングリクエストメッセージを送信するための第一送信器であって、これによって、該睡眠セルが該サウンディング時間内において最大パワーで信号を送信する第一送信器；
マクロセルの端末装置が返した睡眠セル信号の測量報告を受信するための第一受信器；
該測量報告に基いてアクティブにする必要がある睡眠セルを確定するための第一確定ユニット；及び、
該アクティブにする必要がある睡眠セルにアクティブリクエストを送信するための第二送信器であって、該アクティブリクエストは、アクティブにした後に採用するパワーの、最大パワーレベルに対しての減少値を含む、第二送信器を含む。
【００１１】
本発明の実施例の他の側面によれば、睡眠セルの基地局が提供され、該睡眠セルの基地局は、
マクロ基地局の送信した、サウンディング時間を含むサウンディングリクエストメッセージを受信するための第一サウンディングリクエスト受信器であって、これによって、該サウンディング時間内において最大パワーで信号を送信する、第一サウンディングリクエスト受信器；
該マクロ基地局の送信した、アクティブにする必要がある睡眠セルの標識、及び、アクティブにした後に採用するパワーの、最大パワーレベルに対しての減少値を含むアクティブリクエストを受信するための第一アクティブリクエスト受信器；
該アクティブリクエストに基いて睡眠セルを起動するための第一起動器；及び、
最大パワーレベルから該減少値を引いた後のパワーで信号を送信するための第一信号送信器を含む。
【００１２】
本発明の実施例の他の側面によれば、パワー制御方法が提供され、該方法は、
マクロ基地局が、睡眠セルの基地局に、サウンディング時間を含むサウンディングリクエストメッセージを送信し、これによって、該睡眠セルが該サウンディング時間内において最大パワーで信号を送信し；
マクロセルの端末装置が返した、該睡眠セル信号の測量報告を受信し；
該測量報告に基いて、アクティブにする必要がある睡眠セルを確定し；及び、
該アクティブにする必要がある睡眠セルにアクティブリクエストを送信し、該アクティブリクエストは、アクティブにする必要がある睡眠セルの標識、及び、パワー制御に関する情報を含み、該パワー制御に関する情報は、初期パワーレベル、パワー逓増レベル、及び、パワー保持時間又は所定の第一時間を含み、これによって、睡眠セルが起動した後に睡眠セルの基地局が該パワー制御に関する情報に従って次第にパワーを上げて信号を送信することを含む。
【００１３】
本発明の実施例の他の側面によれば、パワー制御方法が提供され、該方法は、
睡眠セルの基地局が、マクロ基地局の送信した、サウンディング時間を含むサウンディングリクエストメッセージを受信し、また、該サウンディング時間内において最大パワーで信号を送信し；
該マクロ基地局の送信した、アクティブにする必要がある睡眠セルの標識、及び、パワー制御に関する情報を受信し、該パワー制御に関する情報は、初期パワーレベル、パワー逓増レベル、及び、パワー保持時間又は所定の第一時間を含み；及び、
該睡眠セルの基地局が、該アクティブリクエストに基いて睡眠セルを起動させ、また、アクティブリクエストにおけるパワー制御に関する情報に従って次第にパワーを上げて信号を送信することを含む。
【００１４】
本発明の実施例の他の側面によれば、マクロ基地局が提供され、該マクロ基地局は、
睡眠セルの基地局に、サウンディング時間を含むサウンディングリクエストメッセージを送信するための第三送信器であって、これによって、該睡眠セルが該サウンディング時間内において最大パワーで信号を送信する、第三送信器；
マクロセルの端末装置が返した該睡眠セル信号の測量報告を受信するための第二受信器；
該測量報告に基いて、アクティブにする必要がある睡眠セルを確定するための第五確定ユニット；及び、
該アクティブにする必要がある睡眠セルにアクティブリクエストを送信するための第四送信器であって、該アクティブリクエストは、アクティブにする必要がある睡眠セルの標識、及び、パワー制御に関する情報を含み、該パワー制御に関する情報は、初期パワーレベル、パワー逓増レベル、及び、パワー保持時間又は所定の第一時間を含み、これによって、睡眠セルが起動した後に睡眠セルの基地局が該パワー制御に関する情報に従って次第にパワーを上げて信号を送信する、第四送信器を含む。
【００１５】
本発明の実施例の他の側面によれば、睡眠セルの基地局が提供され、該睡眠セルの基地局は、
マクロ基地局の送信した、サウンディング時間を含むサウンディングリクエストメッセージを受信するための第二サウンディングリクエスト受信器であって、これによって、該サウンディング時間内において最大パワーで信号を送信する、第二サウンディングリクエスト受信器；
該マクロ基地局の送信した、アクティブにする必要がある睡眠セルの標識、及び、パワー制御に関する情報を受信するための第二アクティブリクエスト受信器であって、該パワー制御に関する情報は、初期パワーレベル、パワー逓増レベル、及び、パワー保持時間又は所定の第一時間を含む、第二アクティブリクエスト受信器；
該アクティブリクエストに基いて、睡眠セルを起動するための第二起動器；及び、
アクティブリクエストにおけるパワー制御に関する情報に基いて次第にパワーを上げて信号を送信するための第二信号送信器を含む。
【００１６】
本発明の実施例の他の側面によれば、コンピュータ可読プログラムが提供され、そのうち、マクロ基地局において該プログラムを実行する時に、該プログラムは、コンピュータに、該マクロ基地局において上述のパワー制御方法を実行させる。
【００１７】
本発明の実施例の他の側面によれば、コンピュータ可読プログラムを記憶した記憶媒体が提供され、そのうち、該コンピュータ可読プログラムは、コンピュータに、マクロ基地局において上述のパワー制御方法を実行させる。
【００１８】
本発明の実施例の他の側面によれば、コンピュータ可読プログラムが提供され、そのうち、睡眠セルの基地局において該プログラムを実行する時に、該プログラムは、コンピュータに、該睡眠セルの基地局において上述のパワー制御方法を実行させる。
【００１９】
本発明の実施例の他の側面によれば、コンピュータ可読プログラムを記憶した記憶媒体が提供され、そのうち、該コンピュータ可読プログラムは、コンピュータに、該睡眠セルの基地局において上述のパワー制御方法を実行させる。
【００２０】
本発明の実施例の有益な効果は、マクロ基地局が、アクティブにする必要がある睡眠セルにアクティブリクエストを送信し、該アクティブリクエストが、睡眠セルをアクティブにした後に採用するパワーの、最大パワーに対しての減少値を含み、これによって、該アクティブになる睡眠セルが、最大パワーから減少値を引いた後のパワーで信号を送信することができ、又は、該アクティブリクエストがパワー制御に関する情報を含み、これによって、睡眠セルの基地局がこのような情報に従って次第にパワーを上げて信号を送信することができる。これにより、睡眠セルの基地局が最大パワーで信号を送信する必要がないので、エネルギー効率を向上させることができ、且つ、複数回のサウンディングプロセスを要しない。よって、シグナリングオーバーヘッドを減少させ、マクロセルにおける端末のサービング品質の低下を避け、従来技術に存在する問題を解決することができる。
【００２１】
後述の説明及び図面の参照により、本発明の特定の実施形態を詳細に開示し、本発明の原理を採用し得る方式を明確にする。理解すべきは、本発明の実施形態は、範囲上ではそれらによって限定されないとのことである。添付した請求項の精神及び技術的範囲内では、本発明の実施形態は、あらゆる変更、変形及び代替によるものをも含む。
【００２２】
一つの実施形態について説明した及び/又は示した特徴は、同じ又は類似する方式で、一つ又は複数の他の実施形態に使用し、他の実施形態における特徴と組み合わせ、又は、他の実施形態における特徴を置換することができる。
【００２３】
なお、"包括/含む"などの用語が本文に使用する時に、特徴、装置全体、ステップ又はアセンブリの存在を指すが、一つ又は複数の他の特徴、装置全体、ステップ又はアセンブリの存在又は付加を排除しないとのことをも指す。
【図面の簡単な説明】
【００２４】
以下の図面による詳細な説明から、本発明の実施例の上述及び他の目的、特徴及び利点は、より明確になる。
【図１】本発明の実施例1におけるパワー制御方法を示す図である。
【図２】本発明の実施例2におけるパワー制御方法のフローチャートである。
【図３】本発明の実施例3におけるパワー制御方法のフローチャートである。
【図４】実施例3における減少値の確定方法のフローチャートである。
【図５】実施例3における減少値の確定方法のフローチャートである。
【図６】実施例3における減少値の確定方法のフローチャートである。
【図７】実施例3における減少値の確定方法のフローチャートである。
【図８】本発明の実施例4におけるマクロ基地局の構成を示す図である。
【図９】本発明の実例4における第二確定ユニットの構成を示す図その一である。
【図１０】本発明実例4における第二確定ユニットの構成を示す図その二である。
【図１１】本発明の実施例5における睡眠セルの基地局の構成を示す図である。
【図１２】本発明の実施例6におけるパワー制御方法のフローチャートである。
【図１３】本発明の実施例7におけるパワー制御方法のフローチャートである。
【図１４】本発明の実施例8におけるパワー制御方法のフローチャートである。
【図１５】本発明の実施例8における睡眠セルの信号送信パワーの増加方法のフローチャートである。
【図１６】本発明の実施例9におけるマクロ基地局の構成を示す図である。
【図１７】本発明の実施例10における睡眠セルの基地局の構成を示す図である。
【図１８】本発明の実施例10における第二信号送信器1704の構成を示す図である。
【図１９】本発明の実施例10における第二信号送信器1704の構成を示す図である。
【発明を実施するための形態】
【００２５】
次に、図面を参照しながら本発明の各種の実施形態について説明する。これらの実施形態は、例示的なものだけであり、本発明を限定するためのものではない。当業者が容易に本発明の原理及び実施形態を理解するために、本発明の実施形態では、LTE-Aシステムを例として説明を行うが、理解すべきは、本発明は、上述のシステムに限定されず、上述の場合にパワー制御に関する他のシステムにも適用し得るとのことである。
【００２６】
図1は、本発明の実施例1のパワー制御方法を示す図である。図1に示すように、該方法は、次のようなステップを含む。
【００２７】
ステップ101：マクロ基地局は、睡眠セルの基地局に、サウンディング時間を含むサウンディングリクエストメッセージを送信し、これによって、該睡眠セルは、該サウンディング時間内において最大パワーで信号を送信し；
ステップ102：マクロセルの端末装置が返した睡眠セル信号の測量報告を受信し；
ステップ103：該測量報告に基いてアクティブにする必要がある睡眠セルを確定し；及び、
ステップ104：アクティブにする必要がある睡眠セルの基地局にアクティブリクエストを送信し、該アクティブリクエストは、アクティブにする必要がある睡眠セルの標識、及び、アクティブにした後に採用するパワーの、最大パワーレベルに対しての減少値ΔP1を含み、これによって、睡眠セルが起動した後に睡眠セルの基地局は、最大パワーレベルから該減少値を引いた（減算）後のパワーで信号を送信する。
【００２８】
図2は、本発明の実施例2のパワー制御方法を示す図である。図2に示すように、該方法は、次のようなステップを含む。
【００２９】
ステップ201：睡眠セルの基地局は、マクロ基地局の送信したサウンディング時間を含むサウンディングリクエストメッセージを受信し、該サウンディング時間内において最大パワーで信号を送信し；
ステップ202：該マクロ基地局の送信した、アクティブにする必要がある睡眠セルの標識、及び、アクティブにした後に採用するパワーの、最大パワーレベルに対しての減少値を含むアクティブリクエストを受信し；及び、
ステップ203：該睡眠セルの基地局は、該アクティブリクエストに基いて睡眠セルを起動し、最大パワーレベルから該減少値を引いた後のパワーで信号を送信する。
【００３０】
上述の実施例から分かるように、該方法により、睡眠セルの基地局が最大パワーで信号を送信することを要せず、エネルギー効率を向上させることができ、睡眠基地局が複数回サウンディングプロセスを行うことを要せず、シグナリングオーバーヘッドを減少させ、マクロセルにおける端末のサービング品質の低下を避け、従来技術に存在する問題を解決することができる。
【００３１】
図3は、本発明の実施例3のパワー制御方法のフローチャートである。図3に示すように、該方法は、次のようなステップを含む。
【００３２】
ステップ301：マクロ基地局は、睡眠セルの基地局に、サウンディング時間を含むサウンディングリクエストメッセージを送信する。
【００３３】
ステップ302：睡眠セルの基地局は、マクロ基地局の送信した、サウンディング時間を含むサウンディングリクエストメッセージを受信し、また、該サウンディング時間内において最大パワーで信号を送信する。
【００３４】
このように、マクロセルの端末装置は、該サウンディング時間において睡眠セルの信号を測量し、また、測量報告を該マクロ基地局に報告することができ、そのうち、該測量報告は、信号強度（例えばRSRP:参照信号受信パワー）又は信号品質（例えばRSRQ:参照信号受信品質）などを含んでも良い。
【００３５】
ステップ303：マクロ基地局は、マクロセルの端末装置が返した測量睡眠セル信号の測量報告を受信する。
【００３６】
ステップ304：マクロ基地局は、該測量報告に基いて、アクティブにする必要がある睡眠セルを確定する。
【００３７】
本実施例では、従来の任意の一つの方式を採用してアクティブにする必要がある睡眠セル確定しても良い。
【００３８】
ステップ305；該マクロ基地局は、睡眠セルのアクティブにした後に採用するパワーの、最大パワーレベルに対しての減少値を確定する。
【００３９】
本実施例では、マクロ基地局は、該測量結果、及び、睡眠セルに移行したいロード又は所定の端末装置の数に基いて、減少値ΔΡ1を確定しても良い。
【００４０】
以下、図面4Α乃至4Dを参照しながら詳しく説明するが、下述の方式に限定されない。
【００４１】
ステップ306：マクロ基地局は、アクティブにする必要がある睡眠セルの基地局にアクティブリクエストを送信し、該アクティブリクエストは、アクティブにする必要がある睡眠セルの標識（Cell  ID)、及び、アクティブにした後に採用するパワーの、最大パワーレベルに対しての減少値ΔP1を含む。
【００４２】
ステップ307：睡眠セルの基地局は、該マクロ基地局の送信した、アクティブにする必要がある睡眠セルの標識、及び、アクティブにした後に採用するパワーの、最大パワーレベルに対しての減少値を含むアクティブリクエストを受信する。
【００４３】
ステップ308：該睡眠セルの基地局は、マクロ基地局にアクティブ回復メッセージをフィードバックする。
【００４４】
そのうち、該アクティブ回復メッセージにより、マクロ基地局に、睡眠セルの基地局が睡眠セルをアクティブにするかどうかを通知する。
【００４５】
該ステップは、オプションであり、該回復メッセージを返さない場合、睡眠セルをアクティブにすると黙認してもよい。
【００４６】
ステップ309：該睡眠セルの基地局は、該アクティブリクエストに基いて、睡眠セルを起動し、最大パワーレベルから該減少値を引いた後のパワーで信号を送信する。
【００４７】
このように、該睡眠セルの基地局は、マクロ基地局が指定したパワー減少値に従って、その信号を送信するパワーを減少させ、即ち、信号を送信するパワーは、最大パワーから該減少値ΔP１を引いた後の値である。
【００４８】
図4は、本発明の実施例3の減少値の確定方法のフローチャートである。図4に示すように、該マクロ基地局は、前記測量結果及び睡眠セルに移行したいロードに基いいて、減少値を確定し、次のようなステップを含む。
【００４９】
ステップ401：該マクロ基地局は、該マクロセルの端末装置が返した測量結果を降順でソートする。
【００５０】
そのうち、測量結果が信号強度である場合、信号強度の大から小への順でソートしても良く、例えば、6個のマクロ基地局の端末装置があり、表1に示すように、それらが返した信号強度の大から小への順、例えば、Ρ1＞Ρ2＞Ρ3＞Ρ4＞Ρ5＞Ρ6であり、該信号強度が対応する端末装置が、例えば、ユーザ装置UE1〜UE6である。
【表１】
2014522201.tif 000003
【００５１】
ステップ402：該マクロ基地局は、睡眠セルに移行する必要があるロードに基いて、且つ、測量結果の大から小への順に従って、該測量結果に対応する、睡眠セルに切り換える必要があるマクロセルの端末装置を確定し、そのうち、測量結果の大から小への順で、該測量結果に対応する少なくとも一つのマクロセルの端末装置を選択し、選択したマクロセルの端末装置の総ロードが、該マクロ基地局が睡眠セルに移行したいロードに相当するようにさせる。例えば、測量結果の大から小への順で、対応するUE1〜UE3を選択し、その総ロードが、該マクロ基地局が睡眠セルに移行したいロードに相当するようにさせる。
【００５２】
ステップ403：該マクロ基地局は、該減少値ΔP１が、選択したマクロセルの端末装置が返した測量結果の最小値と、全てのマクロセルの端末装置が返した測量結果の最小値との差であると確定する。
【００５３】
本実施例では、具体的に、ΔP１＝Ρ3−Ρ6である。
【００５４】
図5は、本発明の実施例3における減少値の確定方法のフローチャートである。図5に示すように、該マクロ基地局は、測量結果及び睡眠セルに移行したいロードに基いて、減少値を確定し、次のようなステップを含む。
【００５５】
ステップ501：該マクロ基地局は、該マクロセルの端末装置が返した測量結果を降順でソートする。
【００５６】
そのうち、該測量結果は、信号強度であり、表1に示すように、ステップ401と類似する。
【００５７】
ステップ502：睡眠セルに移行する必要があるロードに基いて、且つ、測量結果の大から小への順で、該測量結果に対応する、睡眠セルに切り換える必要があるマクロセルの端末装置を確定する。
【００５８】
そのうち、具体的なステップは、例えば、ステップ402に記載のようであり、ここでは詳しい説明を省略する；
例えば、表1に示すように、睡眠セルに切り換える必要があるマクロセルの端末装置は、UE１〜UE3を含む。
【００５９】
ステップ503：該マクロ基地局は、該減少値が、睡眠セルに切り換える必要があるマクロセルの端末装置が返した信号強度の最小値と、端末装置が正常な通信を行うに必要な最小信号強度値との差であると確定する。
【００６０】
そのうち、セルにおける端末装置について、例えば、正常な通信を行おうとすれば、一つの最小信号強度値（Pmin)を要し、このように、該減少値は、ΔP１＝Ρ3−Pminである。
【００６１】
図6は、本発明の実施例3における減少値の確定方法のフローチャートである。本実施例では、マクロ基地局の端末装置が睡眠セルの信号を測量した後に、該端末装置は、測量報告を該マクロ基地局に送信し、マクロ基地局は、一つの測量報告の送信のトリガー条件を設定することができ、例えば、該端末装置は、睡眠セルの信号が某閾値（Pthrd）よりも強い時に該測量報告を送信する。
【００６２】
図6に示すように、該マクロ基地局は、該測量結果、及び、睡眠セルに移行したいロード又は所定の端末装置の数に基いて該減少値ΔP１を確定し、次のようなステップを含む。
【００６３】
ステップ601：該マクロ基地局は、該マクロセルの端末装置が返した測量結果を降順でソートする。例えば、ステップ401のようであり、ここでは、詳しい説明を省略する。
【００６４】
ステップ602：マクロ基地局が睡眠セルに移行したいロードに基いて、測量結果の大から小への順で、該測量結果に対応する、睡眠セルに切り換える必要があるマクロセルの端末装置を選択する。
【００６５】
そのうち、睡眠セルに移行したいロードに基いて、睡眠セルに移行する必要があるマクロセルの端末装置を確定し、例えば、ステップ402のようであり、ここでは、詳しい説明を省略する。
【００６６】
例えば、表1に示すように、睡眠セルに切り換える必要があるマクロセルの端末装置は、UE1〜UE3を含む。
【００６７】
ステップ603：該マクロ基地局は、該減少値が、選択したマクロセルの端末装置が返した測量結果の最小値と、所定のマクロセルの端末装置が測量報告を送信するときの閾値との差であると確定する。
【００６８】
そのうち、例えば、該減少値は、ΔP１＝Ρ3−Pthrdである。
【００６９】
図7は、本発明の実施例3における減少値の確定方法のフローチャートである。図7に示すように、該マクロ基地局は、該測量結果及び所定の端末装置の数に基いて該減少値を確定し、次のようなステップを含む。
【００７０】
ステップ701：該マクロ基地局は、該マクロセルの端末装置が返した測量結果を降順でソートする。図4のステップ401のようであので、ここでは、詳しい説明を省略する。
【００７１】
ステップ702：該マクロ基地局は、測量結果の大から小への順で、該測量結果に対応する、所定の端末装置の数がΝであるマクロセルの端末装置を選択する。
【００７２】
本実施例では、例えば、該マクロ基地局の所定の端末装置の数Νが3であれば、該マクロ基地局は、測量結果の大から小への順でユーザ装置UE〜UE3を選択する。
【００７３】
ステップ703：該マクロ基地局は、該減少値が、選択したマクロセルの端末装置が返した測量結果の最小値と、全てのマクロセルの端末装置が返した測量結果の最小値との差であると確定し、又は、選択したマクロセルの端末装置が返した測量結果の最小値と、正常な通信に必要な最小パワー値（Pmin)との差であると確定し、又は、選択したマクロセルの端末装置が返した測量結果の最小値と、マクロセルの端末装置が測量報告を送信するときの閾値（Pthrd）との差であると確定する。
【００７４】
本実施例では、該減小値は、ΔP1=Ρ3-Ρ6、又は、ΔP1=Ρ3-Pmin、又は、ΔP1=Ρ3-Pthrdである。
【００７５】
上述に図4〜図７を例として如何に減少値ΔP1を確定するかを説明したが、上述は、本発明の実施例だけであり、本発明は、上述の幾つかの方式に限定されない。
【００７６】
上述の実施例から分かるように、マクロ基地局は、アクティブにする必要がある睡眠セルにアクティブリクエストを送信し、該アクティブリクエストは、睡眠セルをアクティブにした後に採用するパワーの、最大パワーに対しての減少値を含み、これによって、該アクティブの睡眠セルは、最大パワーから該減少値を引いた値で信号を送信するので、睡眠セルの基地局が最大パワーで信号を送信することを要せず、エネルギー効率を向上させることができ、且つ、複数回のサウンディングプロセスを要しないので、シグナリングオーバーヘッドを減少させ、マクロセルにおける端末のサービング品質の低下を避け、従来技術に存在する問題を解決することができる。
【００７７】
本発明の実施例は、さらに、マクロ基地局及び睡眠セルの基地局を、次の実施例4乃至実施例5に記載のように提供する。該マクロ基地局及び睡眠セルの基地局が問題を解決する原理は、上述のマクロ基地局及び睡眠セルの基地局によるパワー制御方法と類似し、よって、該マクロ基地局及び睡眠セルの基地局の実施は、方法の実施を参照することができるため、ここでは、重複記載を省略する。
【００７８】
図8は、本発明の実施例4のマクロ基地局の構成を示す図である。図8に示すように、該基地局は、第一送信器801、第一受信802、第一確定ユニット803及び第二送信器804を含む。
【００７９】
第一送信器801：睡眠セルの基地局に、サウンディング時間を含むサウンディングリクエストメッセージを送信するために用いられ、これによって、睡眠セルは、サウンディング時間内において最大パワーで信号を送信する。
【００８０】
第一受信器802：マクロセルの端末装置が返した睡眠セル信号の測量報告を受信するために用いられる。
【００８１】
第一確定ユニット803：測量報告に基いて、アクティブにする必要がある睡眠セルを確定するために用いられる。
【００８２】
第二送信器804；アクティブにする必要がある睡眠セルにアクティブリクエストを送信するために用いられ、アクティブリクエストは、アクティブにした後に採用するパワーの、最大パワーレベルに対しての減少値ΔP1を含む。
【００８３】
上述の実施例から分かるように、マクロ基地局は、アクティブにする必要がある睡眠セルにアクティブリクエストを送信し、該アクティブリクエストは、睡眠セルをアクティブにした後に採用するパワーの、最大パワーに対しての減少値ΔP1を含み、これによって、該アクティブにした後の睡眠セルは、最大パワーから減少値を引いた後のパワーで信号を送信するので、睡眠セルの基地局が最大パワーで信号を送信することを要せず、エネルギー効率を向上させることができ、且つ、複数回のサウンディングプロセスを要しないので、シグナリングオーバーヘッドを減少させ、マクロセルにおける端末のサービング品質の低下を下げ、従来技術に存在する問題を解決することができる。
【００８４】
本実施例では、該基地局は、さらに、第二確定ユニット（図示せず）を含み、第二確定ユニットは、測量結果、及び、睡眠セルに移行したいロード又は所定の端末装置の数に基いて減少値ΔP1を確定するために用いられる。そのうち、具体的な確定方法は、例えば、実施例3の図4〜図7に記載のものを採用してもよい。
【００８５】
図9は、本発明の実施例4における第二確定ユニットの構成を示す図その一である。図9に示すように、第二確定ユニットは、第一ソートユニット901、第一選択器902及び第三確定ユニット903を含む。
【００８６】
第一ソートユニット901：マクロセルの端末装置が返した測量結果を降順でソートするために用いられる。
【００８７】
第一選択器902：睡眠セルに移行したいロードに基いて、測量結果の大から小への順で、測量結果に対応する、睡眠セルに切り換える必要があるマクロ基地局の端末装置を選択すするために用いられる。
【００８８】
第三確定ユニット903：該減少値が、第一選択器901が選択したマクロセルの端末装置が返した測量結果の最小値と、全てのマクロセルの端末装置が返した測量結果の最小値との差、即ち、ΔP１=Ρ3-Ρ6であると確定し、又は、該減少値が、第一選択器901が選択した、睡眠セルに切り換える必要があるマクロセルの端末装置が返した信号強度の最小値と、端末装置の正常な通信に必要な最小信号の強度値との差、即ち、ΔP１=Ρ3-Ρminであると確定し、又は、該減少値が、第一選択器901が選択したマクロセルの端末装置が返した測量結果の最小値と、所定のマクロセルの端末装置が測量報告を送信するときの閾値との差、即ち、ΔP１=Ρ3-Ρthrdであると確定するために用いられる。
【００８９】
図10は、本発明の実施例4における第二確定ユニットの構成を示す図その二である。図10に示すように、第二確定ユニットは、第二ソートユニット1001、第二選択器1002、及び第四確定ユニット1003を含む。
【００９０】
第二ソートユニット1001：マクロセルの端末装置が返した測量結果を降順でソートするために用いられる。
【００９１】
第二選択器1002：所定の端末装置の数に基いて、測量結果の大から小への順で、測量結果に対応する、睡眠セルに切り換える必要があるマクロ基地局の端末装置を選択するように用いられる。
【００９２】
第四確定ユニット1003：減少値が、第二選択器1002が選択したマクロセルの端末装置が返した測量結果の最小値と、全てのマクロセルの端末装置が返した測量結果の最小値との差、即ち、ΔP１=Ρ3-Ρ6であると確定し、又は、該減少値が、第二選択器1002が選択したマクロセルの端末装置が返した測量結果の最小値と、端末装置の正常な通信に必要な最小信号強度値との差、即ち、ΔP１=Ρ3-Ρminであると確定し、又は、該減少値が、第二選択器1002が選択したマクロセルの端末装置が返した測量結果の最小値と、所定のマクロセルの端末装置が測量報告を送信するときの閾値との差、即ち、ΔP１=Ρ3-Ρthrdであると確定するために用いられる。
【００９３】
図11は、本発明の実施例5における睡眠セルの基地局の構成を示す図である。図11に示すように、該睡眠セルの基地局は、第一サウンディングリクエスト受信器1101、第一アクティブリクエスト受信器1102、第一起動器1103及び第一信号送信器1104を含む。
【００９４】
第一サウンディングリクエスト受信器1101：マクロ基地局の送信したサウンディング時間を含むサウンディングリクエストメッセージを受信するために用いられ、これによって、サウンディング時間内において最大パワーで信号を送信する。
【００９５】
第一アクティブリクエスト受信器1102：マクロ基地局の送信した、アクティブにする必要がある睡眠セルの標識、及び、アクティブにした後に採用するパワーの、最大パワーレベルに対しての減少値を含むアクティブリクエストを受信するために用いられる。
【００９６】
第一起動器1103：アクティブリクエストに基いて睡眠セルを起動するために用いられる。
【００９７】
第一信号送信器1104：最大パワーレベルから減少値を引いた後のパワーで信号を送信するために用いられる。
【００９８】
上述の実施例から分かるように、マクロ基地局は、アクティブにする必要がある睡眠セルにアクティブリクエストを送信し、該アクティブリクエストは、睡眠セルをアクティブにした後に採用するパワーの、最大パワーに対しての減少値を含み、これによって、該アクティブにした後の睡眠セルは、最大パワーから減少値を引いた後のパワーで信号を送信するので、睡眠セルの基地局が最大パワーで信号を送信することを要せず、エネルギー効率を向上させることができ、且つ、複数回のサウンディングプロセスを要しないので、シグナリングオーバーヘッドを減少させ、マクロセルにおける端末のサービング品質の低下を避け、従来技術に存在する問題を解決することができる。
【００９９】
上述の実施例に開示されたのは、マクロ基地局が、アクティブにする必要がある睡眠セルの基地局に、睡眠セルをアクティブにした後に採用するパワーの、最大パワーに対しての減少値を指示する方法であり、ここで、この方法をシングルパワーレベル方式と呼ぶ。さらに、この方式に類似するパワー逓増の方式を採用してパワー制御を行ってもよい。以下、図面を参照しながらこの種の方式について説明を行う。
【０１００】
図12は、本発明の実施例6におけるパワー制御方法のフローチャートである。図12に示すように、該方法は、次のようなステップを含む。
【０１０１】
ステップ1201：マクロ基地局は、睡眠セルの基地局に、サウンディング時間を含むサウンディングリクエストメッセージを送信し、これによって、該睡眠セルは、該サウンディング時間内において最大パワーで信号を送信する。
【０１０２】
ステップ1202：該マクロ基地局は、マクロセルの端末装置が返した該睡眠セル信号の測量報告を受信する。
【０１０３】
ステップ1203：該マクロ基地局は、該測量報告に基いて、アクティブにする必要がある睡眠セルを確定する。
【０１０４】
ステップ1204：該マクロ基地局は、アクティブにする必要がある睡眠セルに、クティブリクエストを送信し、該アクティブリクエストは、アクティブにする必要がある睡眠セルの標識（Cell  ID)、及び、パワー制御に関する情報を含み、該パワー制御に関する情報は、初期パワーレベルPinit、パワー逓増レベルΔΡ2、及び、パワー保持時間T１又は所定の第一時間T2を含み、これによって、睡眠セルが起動した後に睡眠セルの基地局は、パワー制御に関する情報に基いて次第にパワーを上げて信号を送信する。
【０１０５】
本実施例では、該アクティブリクエストにおけるパワー制御に関する情報は、さらに、マクロ基地局のロード閾値Lthrdを含んでも良い。このように、睡眠セルの基地局は、このアクティブリクエストメッセージを受信した後に、該睡眠セルを起動し、そして、パワー制御に関する情報に従って、マクロセルのロードがロード閾値Lthrdよりも小さくなるまでに、次第にパワーを上げる。
【０１０６】
そのうち、本実施例では、該初期パワー値Pinitは、睡眠セルが初期にアクティブにされる時に採用するパワーレベルであり、パワー逓増レベルΔΡ2は、毎回パワー逓増時に増加したパワー値を表し、パワー保持時間T１は、睡眠セルがパワーを増加させようとしたら、必ず現在のパワーレベルで作動する時間を表し、マクロ基地局のロード閾値Lthrdは、睡眠セルがパワーの増加を停止した時のマクロ基地局のロード最大値を表し、所定の第一時間T2は、該第一時間T2内において、睡眠セルに切り換えるマクロ基地局の端末装置がなく、即ち、該第一時間T2内において、マクロ基地局からの、睡眠セルに切り換える端末装置がないとのことを表す。
【０１０７】
本実施例では、該方法は、さらに、予めパワー逓増レベルΔΡ2、パワー保持時間T１、及び該第一時間T2を、実際のニーズに基いて任意に設定又は確定しても良い。
【０１０８】
図13は、本発明の実施例7におけるパワー制御方法のフローチャートである。図13に示すように、該方法は、次のようなステップを含む。
【０１０９】
ステップ1301：睡眠セルの基地局は、マクロ基地局の送信したサウンディング時間を含むサウンディングリクエストメッセージを受信し、そして、該サウンディング時間内において最大パワーで信号を送信する。
【０１１０】
ステップ1302：該睡眠セルは、該マクロ基地局の送信した、アクティブにする必要がある睡眠セルの標識、及び、パワー制御に関する情報を受信し、該パワー制御に関する情報は、初期パワーレベルPinit、パワー逓増レベルΔΡ2、及び、パワー保持時間T１又は所定の第一時間T2を含む。
【０１１１】
そのうち、該睡眠セルが最大パワーで信号を送信した後に、マクロ基地局の端末装置は、該信号を測量し、そして、測量した報告をマクロ基地局に返し、マクロ基地局は、測量報告に基いて、アクティブにする必要がある睡眠セルを決定した後に、睡眠セルの基地局に該アクティブリクエストを送信する。
【０１１２】
ステップ1303：該睡眠セルの基地局は、該アクティブリクエストに基いて睡眠セルを起動し、そして、アクティブリクエスト中のパワー制御に関する情報に基いて次第にパワーを上げて信号を送信する。
【０１１３】
そのうち、該睡眠セルの基地局は、アクティブにする必要がある睡眠セルの標識に基いて睡眠セルを起動し、そして、アクティブリクエスト中のパワー制御に関する情報に従って次第にパワーを上げて信号を送信することができる。
【０１１４】
本実施例では、最初に睡眠セルを起動する時に、睡眠セルの基地局は、初期パワーレベルに基いて信号を送信し、その後、初期パワーレベルに基いて信号を送信する時間がパワー保持時間T１に到達し、又は、所定の第一時間T2に到達した時に睡眠セルに切り換えるマクロ基地局の端末装置がまだない時に、睡眠セルの基地局は、現在の初期パワーレベルに基いて、更に、該パワー逓増レベルΔΡ2を増加させ、その後、パワー逓増レベルΔΡ2を増加させた後のパワーで信号を送信する。その後、これに基いて類推し、睡眠セルの基地局は、現在のパワーレベルに基いて、該パワー逓増レベルΔΡ2を増加させ、その後、パワー逓増レベルΔΡ2を増加させた後のパワーで信号を送信し、このようにして、睡眠セルの基地局は、次第に睡眠セルの基地局の信号の送信パワーを上げることができる。
【０１１５】
本実施例では、マクロ基地局のリソースの浪費を避けるために、マクロ基地局の送信した、パワー制御に関する情報は、さらに、マクロ基地局のロード閾値Lthrdを含んでもよく、このようにして、睡眠セルの基地局は、現在のパワーレベルに基いてパワー逓増レベル分を増加させる前に、さらに、現在のマクロ基地局のロードが該マクロ基地局のロード閾値Lthrdよりも高いかどうかを判断することができ、高ければ、該睡眠セルの基地局は、現在のパワーレベルに基いてパワー逓増レベル分を増加させ、そうでなければ、増加させない。
【０１１６】
上述の実施例から分かるように、マクロ基地局は、アクティブにする必要がある睡眠セルに、アクティブリクエストを送信し、該アクティブリクエストは、パワー制御に関する情報を含み、そのうち、初期パワーレベルPinit、パワー逓増レベルΔΡ2、及び、ワー保持時間T１又は所定の第一時間T2を含み、又は、さらに、マクロ基地局のロード閾値Lthrdを含んでも良い。このように、睡眠セルの基地局が最大パワーで信号を送信することを要しないので、エネルギー効率を向上させることができ、且つ、複数回のサウンディングプロセスを要しないため、シグナリングオーバーヘッドを減少させ、マクロセルにおける端末のサービング品質の低下を下げ、従来技術に存在する問題を解決することができる。
【０１１７】
図14は、本発明の実施例8におけるパワー制御方法のフローチャートである。図14に示すように、該方法は、次のようなステップを含むステップ。
【０１１８】
ステップ1401：マクロ基地局は、睡眠セルの基地局に、サウンディング時間を含むサウンディングリクエストメッセージを送信する。
【０１１９】
ステップ1402：睡眠セルの基地局は、マクロ基地局の送信した、サウンディング時間を含むサウンディングリクエストメッセージを受信し、そして、該サウンディング時間内において最大パワーで信号を送信する。
【０１２０】
このように、マクロセルの端末装置は、該サウンディング時間内において睡眠セルの信号を測量し、そして、測量報告を該マクロ基地局に報告することができ、そのうち、該測量報告は、信号強度（例えば、RSRP:参照信号受信パワー）又は信号品質（例えばRSRQ:参照信号受信品質）などを含んでも良い。
【０１２１】
ステップ1403：マクロ基地局は、マクロセルの端末装置が返した測量睡眠セル信号の測量報告を受信する。
【０１２２】
ステップ1404：マクロ基地局は、該測量報告に基いて、アクティブにする必要がある睡眠セルを確定する。
【０１２３】
本実施例では、従来の任意の一つの方式を採用して、アクティブにする必要がある睡眠セルを確定してもよい。
【０１２４】
ステップ1405：該マクロ基地局は、睡眠セルをアクティブにした後に採用するパワー逓増レベルΔΡ2、パワー保持時間T1又は第一時間T2を確定する。
【０１２５】
本実施例では、実際のニーズに応じて上述の値を設定してよく、ここでは、例を挙げて幾つかの設定方法を説明する。
【０１２６】
第一：パワー逓増レベルΔΡ2の設定
ここでは、該マクロ基地局は、睡眠セルの基地局が毎回パワーレベルを増加させた後に、睡眠セルに移行したいロード又は端末装置の数に基いて該パワー逓増レベルΔΡ2を設定することができる。
【０１２７】
そのうち、マクロ基地局は、毎回パワーレベルを増加させた後に、睡眠セルに移行したいロードに基いて、パワー逓増レベルを設定し、これによって、毎回パワーを増加させた後に一部のロードが睡眠セルに必ず移行することを保証し得る。例えば、設定されたパワー逓増レベルΔΡ2を採用した後に、毎回、睡眠セルは、少なくとも1Mbpsのロードを増加させることができる。
【０１２８】
或いは、マクロ基地局は、毎回パワーレベルを増加させた後に、睡眠セルに移行したい端末装置の数に基いて、パワー逓増レベルΔΡ2を設定し、これによって、毎回パワーを増加させた後に、睡眠セルに移行る端末装置が必ずあることを保証し得る。例えば、設定されたパワー逓増レベルΔΡ2を採用した後に、毎回、睡眠セルに切り換える端末装置が少なくとも一つある。
【０１２９】
第二：パワー保持時間T1の設定；：
実施例では、各端末装置が睡眠セルに切り換えるために必要な時間に、推定した、毎回パワーレベルを増加させる時に切り換える端末装置の数の最大値をかけた（乗算）結果に基いて、パワー保持時間T1を設定してもよく、即ち、該パワー保持時間T1は、各端末装置の睡眠セルに切り換えるために必要な時間と、切り換える端末装置の数の最大値との乗算後の結果に等しい。
【０１３０】
マクロ基地局は、パワー逓増レベルを決定した後に、毎回パワー逓増後に睡眠セルに移行する端末装置の数を推定することができる。毎回移行する端末装置の数が異なる可能性があり、よって、移行する必要がある端末装置の数の最多の一回を選択してもよい。その後、各端末装置の睡眠セルに切り換えるために必要な時間を、この切り換える端末装置の数の最大値をかけることで、パワー保持時間T１の估計値を取得することができ、そして、該估計値を該パワー保持時間T1とする。
【０１３１】
本実施例では、さらに、該マクロ基地局が端末装置を睡眠セルに切り換える履歴情報（例えば、該履歴情報は、一定のロードを移行するために必要な時間、又は、一定数の端末装置を切り替えるために必要な時間などを含んでもよく）に基いて、一定のロードを移行する又は一定数の端末装置を切り替えるために必要な平均時間、又は、一定のロードを移行する又は一定数の端末装置を切り替えるために必要な最大時間を取得し、そして、取得した該時間をパワー保持時間T1としても良い。
【０１３２】
そのうち、該一定のロードは、パワー逓増レベルを設定する時に考慮するロードに相当する。該一定数の端末装置の数の設定は、パワー逓増レベルを設定する時に考慮する端末装置の数に相当する。
【０１３３】
第三：第一時間T2の設定
本実施例では、該マクロ基地局が端末装置を睡眠セルに切り換える履歴情報に基いて、連続した二つの端末装置が睡眠セルに切り換えるときの間隔の時間情報を取得し、そして、取得した時間情報に対して平均を行い、平均後に取得した値を該第一時間T2としても良い。
【０１３４】
或いは、これらの取得した時間情報の最大値、即ち、連続した二つの端末装置が睡眠セルに切り換えるときの間隔の時間の最大値を該第一時間T2としてもよい。
【０１３５】
或いは、端末装置の移動速度に基いて前記第一時間T2を決定しても良い。
【０１３６】
そのうち、移動速度が大きい（例えば、50m/sよりも大きい)時に、該時間は、大きい値に設定してもよく、移動速度が小さい（例えば、lOm/sよりも小さい)時に、該時間は、小さい値に設定してもよく、これによって、一つの移動速度と、前記第一時間T1との関係表を形成することができる。上述は、本発明の具体的な実施例だけであり、実際の状況に応じて上述の時間及び移動速度を確定しても良い。
【０１３７】
ステップ1406：該マクロ基地局は、アクティブにする必要がある睡眠セルの基地局に、アクティブリクエストを送信し、該アクティブリクエストは、アクティブにする必要がある睡眠セルの標識（Cell  ID)、及び、パワー制御に関する情報を含む。
【０１３８】
本実施例では、該パワー制御に関する情報は、初期パワーレベルPinit、パワー逓増レベルΔP2、及び、パワー保持時間T1又は所定の第一時T2を含み、また、さら、該マクロ基地局のロード閾値Lthrdを含んでもよく、該パラメータは、オプションである。
【０１３９】
ステップ1407：該睡眠セルの基地局は、該マクロ基地局の送信した、該アクティブにする必要がある睡眠セルの標識（Cell  ID)、及び、パワー制御に関する情報を含むアクティブリクエストを受信する。
【０１４０】
ステップ1408：該睡眠セルの基地局は、マクロ基地局に、アクティブ回復メッセージフィードバックする。
【０１４１】
そのうち、該アクティブ回復メッセージにより、マクロ基地局に、睡眠セルの基地局が睡眠セルをアクティブにするかどうかを通知する。
【０１４２】
該ステップは、オプションであり、該回復メッセージを返さない場合、睡眠セルをアクティブにすると黙認してもよい。
【０１４３】
ステップ1409：該睡眠セルの基地局は、該アクティブリクエストに基いて睡眠セルを起動し、そして、パワー制御に関する情報に従って次第に睡眠セルの信号の送信パワーを上げ、また、増加した後のパワーで信号を送信する。
【０１４４】
本実施例では、現在のパワーレベルの場合に、該睡眠基地局セルがパワー制御に関する情報に従って睡眠セルの信号を送信パワーを上げることは、次のような方式を採用しても良い。図15に示すように、次のようなステップを含む。
【０１４５】
ステップ1501：睡眠セルの基地局は、現在のパワーレベルで信号を送信する時間がパワー保持時間T1に到達しているかどうかを判断し、又は、現在のパワーレベルで信号を送信する時に第一時間T２内において睡眠セルに切り替えるマクロ基地局の端末装置がないかどうかを判断する。
【０１４６】
ステップ1502：ステップ1501における判断結果が「はい」であれば、該睡眠セルの基地局は、マクロ基地局の現在のロードがマクロ基地局のロード閾値Lthrdよりも大きいかどうあを判断する。
【０１４７】
そのうち、該マクロ基地局の現在のロードは、マクロ基地局により該睡眠セルの基地局に通知してもよい。
【０１４８】
ステップ1503：ステップ1502における判断結果が、マクロ基地局のロード閾値Lthrdよりも大きいとのものであれば、該睡眠セルの基地局は、現在のパワーレベルに基いて、パワー逓増レベルΔΡ2を増加させ、パワー逓増レベルΔΡ2を増加させた後のパワーを取得する。
【０１４９】
ステップ1502における判断結果が「いいえ」であれば、現在のパワーレベルを増加させず、睡眠セルの基地局は、現在のパワーを維持して信号を送信し、プロセスが終了する。
【０１５０】
これに基いて類推し、該睡眠セルの基地局は、次第に増加されたパワーで信号を送信することができる。
【０１５１】
上述の実施例から分かるように、マクロ基地局は、アクティブにする必要がある睡眠セルにアクティブリクエストを送信し、該アクティブリクエストは、パワー制御に関する情報を含み、これによって、睡眠セルの基地局は、次第に増加されたパワーで信号を送信するので、睡眠セルの基地局が最大パワーで信号を送信することを要せず、エネルギー効率を向上させることができ、且つ、複数回のサウンディングプロセスを要しないので、シグナリングオーバーヘッドを減少させ、マクロセルにおける端末のサービング品質の低下を避け、従来技術に存在する問題を解決することができる。
【０１５２】
本発明の実施例は、さらに、マクロ基地局及び睡眠セルの基地局を、次の実施例9〜実施例10に記載のように提供する。該マクロ基地局及び睡眠セルの基地局が問題を解決すする原理は、上述のマクロ基地局及び睡眠セルの基地局に基いくワー制御方法に類似し、よって、該マクロ基地局及び睡眠セルの基地局の実施は、方法の実施を参照することができるため、ここでは、重複記載を省略する。
【０１５３】
図16は、本発明の実施例9におけるマクロ基地局の構成を示す図である。図16に示すように、該マクロ基地局は、第三送信器1601、第二受信器1602、第五確定ユニット1603及び第四送信器1604を含む。
【０１５４】
第三送信器1601：睡眠セルの基地局に、サウンディング時間を含むサウンディングリクエストメッセージを送信するためのものであり、これによって、睡眠セルがサウンディング時間内において最大パワーで信号を送信する。
【０１５５】
第二受信器1602：マクロセルの端末装置が返した睡眠セル信号の測量報告を受信するためのものである。
【０１５６】
第五確定ユニット1603：測量報告に基いて、アクティブにする必要がある睡眠セルを確定するためのものである。
【０１５７】
第四送信器1604：アクティブにする必要がある睡眠セルに、アクティブリクエストを送信するためのものであり、アクティブリクエストは、アクティブにする必要がある睡眠セルの標識、及び、パワー制御に関する情報を含み、パワー制御に関する情報は、初期パワーレベル、パワー逓増レベル、及び、パワー保持時間又は所定の第一時間を含み、これによって、睡眠セルが起動した後に、睡眠セルの基地局は、パワー制御に関する情報に従って次第にパワーを上げて信号を送信する。
【０１５８】
また、本実施例では、該マクロ基地局は、さらに、逓増レベル確定ユニット、パワー保持時間確定ユニット、及び、第一時間確定ユニット（図示せず）を含む。
【０１５９】
逓増レベル設定ユニット：睡眠セルの基地局が毎回パワーレベルを増加させた後に、睡眠セルに移行したいロード又は端末装置の数に基いてパワー逓増レベルを設定するためのものである。
【０１６０】
パワー保持時間確定ユニット：具体的に、各端末装置が睡眠セルに切り替えるために必要な時間に、推定した毎回パワーを増加させるときに切り替える端末装置の数の最大値をかけることで、パワー保持時間を確定し、又は、マクロ基地局が端末装置を睡眠セルに切り替える履歴情報に基いて、一定のロードを移行する又は一定数の端末装置を切り替えるために必要な平均時間、又は、一定のロードを移行する又は一定数の端末装置を切り替えるために必要な最大時間を得て、得た時間をパワー保持時間とするためのものである。
【０１６１】
第一時間確定ユニット：具体的に、マクロ基地局が端末装置を睡眠セルに切り替える履歴情報に基いて、連続した二つの端末装置が睡眠セルに切り替えるときの間隔の時間情報を取得し、取得した時間情報に対して平均を行い、平均後に取得した値を第一時間とし、又は、連続した二つの端末装置が睡眠セルに切り替えるときの間隔の時間の最大値を第一時間とし、又は、端末装置の移動速度に基いて第一時間を確定するためのものである。
【０１６２】
また、該アクティブリクエスト中のパワー制御に関する情報は、さらに、マクロ基地局のロード閾値を含み、これによって、マクロ基地局のリソースの浪費を避けることができる。
【０１６３】
図17は、本発明の実施例10における睡眠セルの基地局の構成を示す図である。図17に示すように、該睡眠セルの基地局は、第二サウンディングリクエスト受信器1701、第二アクティブリクエスト受信器1702、第二起動器1703、及びお第二信号送信器1704を含む。
【０１６４】
第二サウンディングリクエスト受信器1701：マクロ基地局の送信した、サウンディング時間を含むサウンディングリクエストメッセージを受信するためのものであり、これによって、サウンディング時間内において最大パワーで信号を送信する。
【０１６５】
第二アクティブリクエスト受信器1702：マクロ基地局の送信した、アクティブにする必要がある睡眠セルの標識、及び、パワー制御に関する情報を受信するためのものであり、パワー制御に関する情報は、初期パワーレベル、パワー逓増レベル、及び、パワー保持時間又は所定の第一時間を含む。
【０１６６】
第二起動器1703：アクティブリクエストに基いて睡眠セルを起動するためのものである。
【０１６７】
第二信号送信器1704：アクティブリクエスト中のパワー制御に関する情報に従って次第にパワーを上げて信号を送信する。
【０１６８】
図18は、本発明の実施例10における第二信号送信器1704の構成を示す図である。睡眠セルの基地局が現在のパワーレベルで信号を送信する時に、第二信号送信器1704は、パワー逓増レベル分を増加させるかどうかを確定し、パワー逓増レベル分を増加させると確定するの場合、増加後のパワーで送信する。このような場合、第二信号送信器1704は、第一判断ユニット1801、第一パワー増加ユニット1802、及び第五送信器1803を含む。
【０１６９】
第一判断ユニット1801：現在のパワーレベルで信号を送信する時間がパワー保持時間に到達しているかどうかを判断し、又は、現在のパワーレベルで信号を送信する時に第一時間内において睡眠セルに切り替えるマクロ基地局の端末装置がないかどうかを判断するためのものである。
【０１７０】
第一パワー増加ユニット1802：第一判断ユニット1801の判断結果が「はい」である時に、現在のパワーレベルに基いて、パワー逓増レベル分を増加させるためのものである。
【０１７１】
第五送信器1803：パワー逓増レベル分を増加させた後のパワーで信号を送信する。
【０１７２】
本実施例では、該アクティブリクエストは、さらに、マクロ基地局のロード閾値を含んでも良い。
【０１７３】
図19は、本発明の実施例10における第二信号送信器1704の構成を示す図である。睡眠セルの基地局が現在のパワーレベルで信号を送信する時に、第二信号送信器1704は、パワー逓増レベル分を増加させるかどうかを確定し、パワー逓増レベル分を増加させると確定する場合、増加後のパワーで送信する。この場合、第二信号送信器1704は、第二判断ユニット1901、第三判断ユニット1902、第二パワー増加ユニット1903、及び第六送信器1904を含む。
【０１７４】
第二判断ユニット1901：現在のパワーレベルで信号を送信する時間がパワー保持時間に到達しているかどうかを判断し、又は、現在のパワーレベルで信号を送信する時に第一時間内において睡眠セルに切り替えるマクロ基地局の端末装置がないかどうかを判断するためのものである。
【０１７５】
第三判断ユニット1902：第二判断ユニット1901の判断結果が「はい」である時に、マクロ基地局の現在のロードがマクロ基地局のロード閾値よりも大きいかそうかを判断吸るためのものである。
【０１７６】
第二パワー増加ユニット1903：第三判断ユニットの判断結果が「はい」である時に、現在のパワーレベルに基いて、パワー逓増レベル分を増加させ、パワー逓増レベル分を増加させた後のパワーを取得するためのものである。
【０１７７】
第六送信器1904：パワー逓増レベル分を増加させた後のパワーで信号を送信するためのものである。
【０１７８】
上述の実施例から分かるように、マクロ基地局は、アクティブにする必要がある睡眠セルにアクティブリクエストを送信し、該アクティブリクエストは、パワー制御に関する情報を含み、これによって、睡眠セルの基地局は、次第に増加されたパワーで信号を送信することができ、睡眠セルの基地局が最大パワーで信号を送信することを要しないので、エネルギー効率を向上させることができ、且つ、複数回のサウンディングプロセスを要しないため、シグナリングオーバーヘッドを減少させ、マクロセルにおける端末のサービング品質の低下を下げ、従来技術に存在する問題を解決することができる。
【０１７９】
本発明の実施例は、さらに、コンピュータ可読プログラムを提供し、そのうち、マクロ基地局において該プログラムを実行する時、該プログラムは、コンピュータに、在該基地局において実施例1、3、6、8に記載のパワー制御方法を実行させる。
【０１８０】
本発明の実施例の他の側面は、コンピュータ可読プログラムを記憶した記憶媒体を提供し、そのうち、該コンピュータ可読プログラムは、コンピュータに、マクロ基地において実施例1、3、6、8に記載のパワー制御方法を実行させる。
【０１８１】
本発明の実施例の他の側面は、コンピュータ可読プログラムを提供し、そのうち、睡眠セルの基地局において該プログラムを実行する時、該プログラムは、コンピュータに、在該睡眠セルにおいて上述の実施2、3、7、8に記載のパワー制御方法を実行させる。
【０１８２】
本発明の実施例の他の側面は、コンピュータ可読プログラムを記憶した記憶媒体を提供し、そのうち、該コンピュータ可読プログラムは、コンピュータに、睡眠セルの基地局において上述の実施例2、3、7、8に記載のパワー制御方法を実行させる。
【０１８３】
本発明の上述の装置及び方法は、ハードウェアにより実現されてもよく、ハードウェアとソフトウェアとの組み合わせにより実現されてもよい。また、本発明は、このようなコンピュータ可読なプログラムにも関し、即ち、該プログラムは、ロジック部により実行されている時に、該ロジック部に、上述の装置又は構成部品を実現させることができ、又は、該ロジック部に、上述の各種方法又はステップを実現させることができる。ロジック部品は、例えば、FPGA部品、マイクロプロセッサー、コンピュータに用いる処理器等であっても良い。本発明は、さらに、上述のプログラムを記録している記憶媒体、例えば、ハードディスク、磁気ディスク、光ディスク、DVD、flashメモリなどにも関する。
【０１８４】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
2014522201.tif 000004
【図２】
2014522201.tif 000005
【図３】
2014522201.tif 000006
【図４】
2014522201.tif 000007
【図５】
2014522201.tif 000008
【図６】
2014522201.tif 000009
【図７】
2014522201.tif 000010
【図８】
2014522201.tif 000011
【図９】
2014522201.tif 000012
【図１０】
2014522201.tif 000013
【図１１】
2014522201.tif 000014
【図１２】
2014522201.tif 000015
【図１３】
2014522201.tif 000016
【図１４】
2014522201.tif 000017
【図１５】
2014522201.tif 000018
【図１６】
2014522201.tif 000019
【図１７】
2014522201.tif 000020
【図１８】
2014522201.tif 000021
【図１９】
2014522201.tif 000022
【国際調査報告】
2014522201.tif 000023
2014522201.tif 000024
2014522201.tif 000025
2014522201.tif 000026
2014522201.tif 000027
2014522201.tif 000028